(57)【特許請求の範囲】
【請求項１】
合成床版用の底鋼板と、
該底鋼板に直接または間接に取り付けられ、鋼主桁の上面に配置され、該底鋼板および該底鋼板上に打設されたコンクリートの重量を前記鋼主桁に伝達する支持部材と、
を備えた鋼板パネルの橋軸直角方向の移動を制限するストッパ機構であって、
前記支持部材との間に橋軸直角方向に所定の遊間を設けて前記鋼主桁の上面に取り付けられたストッパを備え、
前記鋼板パネルの橋軸直角方向への前記所定の遊間以下の移動は許容するが、前記所定の遊間を超える移動は許容しないようにしたことを特徴とする合成床版用鋼板パネルのストッパ機構。
【請求項２】
合成床版用の複数の底鋼板と、
複数の該底鋼板を橋軸直角方向に連結するとともに該底鋼板を補剛する補剛部材と、
該補剛部材に直接または間接に取り付けられ、鋼主桁の上面に配置され、該補剛部材、前記底鋼板および該底鋼板上に打設されたコンクリートの重量を前記鋼主桁に伝達する支持部材と、
を備えた鋼板パネルの橋軸直角方向の移動を制限するストッパ機構であって、
前記支持部材との間に橋軸直角方向に所定の遊間を設けて前記鋼主桁の上面に取り付けられたストッパを備え、
前記鋼板パネルの橋軸直角方向への前記所定の遊間以下の移動は許容するが、前記所定の遊間を超える移動は許容しないようにしたことを特徴とする合成床版用鋼板パネルのストッパ機構。
【請求項３】
前記ストッパの前記所定の遊間は調整可能なことを特徴とする請求項１または２に記載の合成床版用鋼板パネルのストッパ機構。
【請求項４】
前記ストッパの前記所定の遊間を２〜８ｍｍの範囲に調整可能なことを特徴とする請求項３に記載の合成床版用鋼板パネルのストッパ機構。
【請求項５】
前記ストッパは、多角形の板状体であって複数の貫通孔を有し、前記鋼主桁の上面に溶植されたスタッドボルトが前記貫通孔に挿通されて前記鋼主桁の上面に取り付けられ、該スタッドボルトが挿通される前記貫通孔を替えることにより前記所定の遊間を調整可能なことを特徴とする請求項３または４に記載の合成床版用鋼板パネルのストッパ機構。
【請求項６】
前記ストッパは、矩形の板状体であることを特徴とする請求項５に記載の合成床版用鋼板パネルのストッパ機構。
【請求項７】
前記ストッパと前記支持部材との間の前記遊間に緩衝材が設けられていることを特徴とする請求項１〜６のいずれかに記載の合成床版用鋼板パネルのストッパ機構。
【発明の詳細な説明】
【技術分野】
【０００１】
本発明は、合成床版用鋼板パネルのストッパ機構に関し、詳しくは、合成床版用鋼板パネルの鋼主桁上への架設後で床版コンクリート硬化前、合成床版用鋼板パネルに予期せぬ橋軸直角方向の水平力が作用しても、合成床版用鋼板パネルに過大な内部応力が導入されてしまったり、変形したりしてしまうことを防止しつつ、合成床版用鋼板パネルの配置位置が適正な位置範囲からずれないようにすることができる合成床版用鋼板パネルのストッパ機構に関する。
【背景技術】
【０００２】
鋼主桁上に架設された合成床版用鋼板パネルは、合成床版用鋼板パネルの鋼主桁上への架設後で床版コンクリート硬化前、ずれが生じないように、取付金具により鋼主桁に固定されるのが一般的である。非特許文献１には、図１０に示されるように、鋼主桁１０２の上フランジ１０２Ａに溶植されたスタッドボルト１０４を合成床版用鋼板パネル１００（ハンチプレート１０６）に直接挿通させ、スタッドボルト１０４およびナット１０８を取付金具として用いて、鋼主桁１０２上に架設された合成床版用鋼板パネル１００をスタッドボルト１０４で直接固定する例が示されている。
【先行技術文献】
【非特許文献】
【０００３】
【非特許文献１】社団法人日本橋梁建設協会「合成床版設計・施工の手引き」、平成１７年５月、ｐ．１９、図−解５．１２．１
【発明の概要】
【発明が解決しようとする課題】
【０００４】
図１０に示される従来技術のように、主桁１０２の上フランジ１０２Ａに溶植されたスタッドボルト１０４を合成床版用鋼板パネル１００（ハンチプレート１０６）に直接挿通させ、スタッドボルト１０４およびナット１０８を取付金具として用いて、鋼主桁１０２上に架設された合成床版用鋼板パネル１００をスタッドボルト１０４で直接固定した場合、合成床版用鋼板パネル１００の鋼主桁上への架設後で床版コンクリート硬化前に予期せぬ橋軸直角方向の水平力が加わると、合成床版用鋼板パネル１００やハンチプレート１０６に所定以上の内部応力が導入されてしまったり、合成床版用鋼板パネル１００が変形してしまったりするおそれがある。
【０００５】
これに対して、図１１に示すように、スタッドボルト１６Ｂを合成床版用鋼板パネル５０に挿通させて直接スタッドボルト１６Ｂで固定することをせず、後述するハンチ押え金具（固定具）１６を用い、押えプレート１６Ａを介して合成床版用鋼板パネル５０を間接的にスタッドボルト１６Ｂで固定することが考えられる。これにより、合成床版用鋼板パネル５０の鋼主桁６２上への架設後で床版コンクリート硬化前に所定の値以上の橋軸直角方向の水平力が加わった際に、合成床版用鋼板パネル５０が橋軸直角方向に移動することを許容して、鋼板パネル５０に所定以上の内部応力が導入されてしまったり、鋼板パネル５０が変形してしまったりすることを抑制することが考えられる。
【０００６】
しかしながら、合成床版用鋼板パネルの橋軸直角方向の移動量が大きくなりすぎると、合成床版用鋼板パネルの配置位置として許容される範囲から外れてしまうおそれがある。
【０００７】
本発明は、かかる問題点に鑑みてなされたものであって、合成床版用鋼板パネルの鋼主桁上への架設後で床版コンクリート硬化前、該鋼板パネルに予期せぬ橋軸直角方向の水平力が作用しても、該鋼板パネルに過大な内部応力が導入されてしまったり、変形したりしてしまうことを防止しつつ、該鋼板パネルの配置位置が適正な位置範囲から外れないようにすることができるストッパ機構を提供することを課題とする。
【課題を解決するための手段】
【０００８】
本発明は、以下のストッパ機構により、前記課題を解決したものである。
【０００９】
即ち、本発明に係るストッパ機構の第１の態様は、合成床版用の底鋼板と、該底鋼板に直接または間接に取り付けられ、鋼主桁の上面に配置され、該底鋼板および該底鋼板上に打設されたコンクリートの重量を前記鋼主桁に伝達する支持部材と、を備えた鋼板パネルの橋軸直角方向の移動を制限するストッパ機構であって、前記支持部材との間に橋軸直角方向に所定の遊間を設けて前記鋼主桁の上面に取り付けられたストッパを備え、前記鋼板パネルの橋軸直角方向への前記所定の遊間以下の移動は許容するが、前記所定の遊間を超える移動は許容しないようにしたことを特徴とする合成床版用鋼板パネルのストッパ機構である。
【００１０】
本発明に係るストッパ機構の第２の態様は、合成床版用の複数の底鋼板と、複数の該底鋼板を橋軸直角方向に連結するとともに該底鋼板を補剛する補剛部材と、該補剛部材に直接または間接に取り付けられ、鋼主桁の上面に配置され、該補剛部材、前記底鋼板および該底鋼板上に打設されたコンクリートの重量を前記鋼主桁に伝達する支持部材と、を備えた鋼板パネルの橋軸直角方向の移動を制限するストッパ機構であって、前記支持部材との間に橋軸直角方向に所定の遊間を設けて前記鋼主桁の上面に取り付けられたストッパを備え、前記鋼板パネルの橋軸直角方向への前記所定の遊間以下の移動は許容するが、前記所定の遊間を超える移動は許容しないようにしたことを特徴とする合成床版用鋼板パネルのストッパ機構である。
【００１１】
前記ストッパの前記所定の遊間は調整可能なことが好ましく、具体的には、２〜８ｍｍの範囲に調整可能なことが好ましい。
【００１２】
前記所定の遊間を調整可能な前記ストッパは、例えば、多角形の板状体であって複数の貫通孔を有し、前記鋼主桁の上面に溶植されたスタッドボルトが前記貫通孔に挿通されて前記鋼主桁の上面に取り付けられ、該スタッドボルトが挿通される前記貫通孔を替えることにより前記所定の遊間を調整可能にしたストッパである。この場合、前記ストッパは、矩形の板状体であることが好ましい。
【００１３】
前記ストッパと前記支持部材との間の前記遊間には、前記支持部材の端面と前記ストッパとの衝突による衝撃力の緩和、および、前記遊間にゴミ等が入り込むことの防止の点で、緩衝材が設けられていることが好ましい。
【発明の効果】
【００１４】
本発明に係るストッパ機構は、支持部材との間に橋軸直角方向に所定の遊間を設けて鋼主桁の上面に取り付けられたストッパを備え、鋼板パネルの橋軸直角方向への所定の遊間以下の移動は許容するが、前記所定の遊間を超える移動は許容しないようにしているので、合成床版用鋼板パネルの鋼主桁上への架設後で床版コンクリート硬化前、該鋼板パネルに予期せぬ橋軸直角方向の水平力が作用しても、該鋼板パネルやハンチプレートに過大な内部応力が導入されてしまったり、変形したりしてしまうことを防止しつつ、該鋼板パネルの配置位置が適正な位置範囲から外れないようにすることができる。
【図面の簡単な説明】
【００１５】
【図１】本発明の実施形態に係るストッパ機構を示す斜視図
【図２】前記ストッパ機構の主要部を拡大して示す拡大斜視図
【図３】本発明の実施形態に係るストッパ機構を橋軸方向から見た側面図
【図４】前記ストッパ機構の主要部を橋軸方向から見た拡大側面図
【図５】前記ストッパ機構の一方のストッパを示す平面図
【図６】前記ストッパ機構の他方のストッパを示す平面図
【図７】本発明の実施形態においてストッパの配置状況の具体例を示す図
【図８】本発明の実施形態に係るストッパ機構を上方から見た平面図
【図９】図８のＩＸ−ＩＸ線断面図
【図１０】従来の固定機構の一例を示す図
【図１１】ストッパ機構の一例を示す斜視図
【発明を実施するための形態】
【００１６】
以下、図面を参照して、本発明の実施形態を詳細に説明する。
【００１７】
図１は本発明の実施形態に係るストッパ機構を示す斜視図であり、図２はその主要部を拡大して示す拡大斜視図であり、図３は本発明の実施形態に係るストッパ機構を橋軸方向から見た側面図であり、図４はその主要部を橋軸方向から見た拡大側面図である。なお、図３では、図示の都合上、記載を省略している部位がある。
【００１８】
本発明の実施形態に係るストッパ機構１０が適用される合成床版用鋼板パネル５０は、底鋼板５２と、ハンチプレート５４と、連結鋼板５６と、突起付きＴ形鋼５８と、支持部材６０と、を有してなり、鋼主桁６２上に架設される。
【００１９】
底鋼板５２は、合成床版作製の際のコンクリート打設時の型枠となるとともに、コンクリート硬化後は合成床版の下面を形成して、主鉄筋および配力鉄筋の役割を果たす。底鋼板５２は鋼主桁６２によって分断され、橋軸直角方向に並置されているが、底鋼板５２同士は、連結鋼板５６を介して橋軸直角方向に連結されている。底鋼板５２および連結鋼板５６の上面には、突起付きＴ形鋼５８が橋軸直角方向に配置されており、突起付きＴ形鋼５８のウェブ下端が底鋼板５２および連結鋼板５６の上面に溶接されている。なお、底鋼板５２と連結鋼板５６は一体的に形成されていてもよいし、溶接等により連結されていてもよい。また、底鋼板５２と突起付きＴ形鋼５８との間の応力伝達が十分であれば、連結鋼板５６を省略することも可能である。
【００２０】
突起付きＴ形鋼５８は、ウェブ下端が底鋼板５２および連結鋼板５６の上面に溶接されており、底鋼板５２を補剛する。また、突起付きＴ形鋼５８のフランジ５８Ａ上面にはフランジ幅方向（突起付きＴ形鋼５８の長手方向と直交する方向）に線状の突起が複数設けられており、この複数の線状の突起が合成床版においてコンクリートとのずれ止めとして働く。このため、底鋼板５２の上面にはスタッドジベルは溶植されていない。
【００２１】
底鋼板５２とハンチプレート５４とは高力ボルト摩擦接合により連結されているが、高力ボルト摩擦接合とせず、普通のボルト接合による支圧接合としてもよい。なお、ハンチプレート５４の上面にはスタッドジベル５４Ａが溶植されており、厚さの厚いハンチ部のコンクリートの有効活用を図っているが、ハンチプレート５４の上面に溶植されたスタッドジベル５４Ａによるずれ止め効果は設計上は考慮しておらず、ハンチプレート５４の上面にスタッドジベル５４Ａを溶植しなくてもよい。
【００２２】
支持部材６０は矩形の板材であり、突起付きＴ形鋼５８、底鋼板５２および該底鋼板５２上に打設されたコンクリートの重量を鋼主桁６２に伝達する役割を有する。支持部材６０は、突起付きＴ形鋼５８の真下の位置において、合成床版用鋼板パネル５０の鋼主桁６２上への架設時に鋼主桁６２の上フランジ６２Ａの幅方向中央部に位置し、かつ、長手方向が突起付きＴ形鋼５８の長手方向と平行（橋軸直角方向）となるように連結鋼板５６の下面に溶接されている。支持部材６０の高さは、ハンチプレート５４によって形成されるハンチの高さと同じである。支持部材６０は、連結鋼板５６および突起付きＴ形鋼５８を介して底鋼板５２との間で応力の伝達をすることができ、支持部材６０は間接的に底鋼板５２に取り付けられているといえる。また、支持部材６０は、連結鋼板５６を介して突起付きＴ形鋼５８との間で応力の伝達をすることができ、支持部材６０は間接的に突起付きＴ形鋼５８に取り付けられているといえる。
【００２３】
なお、ハンチを設けない合成床版では、底鋼板５２を鋼主桁６２上で分断する必要はなく、底鋼板５２を１枚の鋼板で形成することも可能であり、この場合には、支持部材６０は、底鋼板５２に直接取り付けられることとなる。
【００２４】
次に、本発明の実施形態に係るストッパ機構１０について詳細に説明する。
【００２５】
該ストッパ機構１０は、ストッパ１２、１４と、ハンチ押え金具（固定具）１６と、スタッドボルト２０、２２、２４、２６とを備えてなる。
【００２６】
ストッパ１２は、支持部材６０の一端部の外側に支持部材６０の端面６０Ａから橋軸直角方向に所定の間隔（遊間）を設けて、鋼主桁６２の上フランジ６２Ａ上面に配置されている。ストッパ１４は、支持部材６０の他端部の外側に支持部材６０の端面６０Ｂから橋軸直角方向に所定の間隔（遊間）を設けて、鋼主桁６２の上フランジ６２Ａ上面に配置されている。
【００２７】
図１〜図４に示すように、ストッパ１２、１４は、それぞれ、鋼主桁６２の上フランジ６２Ａ上面に溶植されたスタッドボルト２０、２２、２４、２６およびナット２８を用いて鋼主桁６２の上フランジ６２Ａ上面に取り付けられている。スタッドボルト２０、２２の並び方向およびスタッドボルト２４、２６の並び方向は、鋼主桁６２の長手方向（橋軸方向）であり、スタッドボルト２０、２２およびスタッドボルト２４、２６は鋼主桁６２の長手方向と直角方向（橋軸直角方向）に対向している。ストッパ１２、１４の下（ストッパ１２、１４と鋼主桁６２の上フランジ６２Ａとの間）にはフィラープレート１２Ｅ、１４Ｅが配置されており、スタッドボルト２０、２２、２４、２６が溶植される際に生じた溶接ビードを避けるようにしている。
【００２８】
図５に示すように、ストッパ１２は矩形の板状体であり、４隅にはスタッドボルト２０、２２が挿通する同一径の貫通孔が１つずつ設けられている。これらの貫通孔１２ａ、１２ｂ、１２ｃ、１２ｄのうち、隣り合う貫通孔（１２ａと１２ｂ、１２ｂと１２ｃ、１２ｃと１２ｄ、１２ｄと１２ａ）の同一縁端に対する縁端距離は等しく設定されており、かつ、その縁端距離は各辺で異なるように設定されている。貫通孔１２ａ、１２ｂの縁端Ａ−１に対する縁端距離はａ１、貫通孔１２ｂ、１２ｃの縁端Ａ−２に対する縁端距離はａ２、貫通孔１２ｃ、１２ｄの縁端Ａ−４に対する縁端距離はａ４、貫通孔１２ｄ、１２ａの縁端Ａ−３に対する縁端距離はａ３である。このため、スタッドボルト２０、２２に挿通させる貫通孔を変更することで、支持部材６０の端面６０Ａとストッパ１２との間の遊間ｓ１を変更することができるようになっている。
【００２９】
同様に、図６に示すように、ストッパ１４は矩形の板状体であり、４隅にはスタッドボルト２４、２６が挿通する同一径の貫通孔が１つずつ設けられている。これらの貫通孔１４ａ、１４ｂ、１４ｃ、１４ｄのうち、隣り合う貫通孔（１４ａと１４ｂ、１４ｂと１４ｃ、１４ｃと１４ｄ、１４ｄと１４ａ）の同一縁端に対する縁端距離は等しく設定されており、かつ、その縁端距離は各辺で異なるように設定されている。貫通孔１４ａ、１４ｂの縁端Ｂ−１に対する縁端距離はｂ１、貫通孔１４ａ、１４ｄの縁端Ｂ−２に対する縁端距離はｂ２、貫通孔１４ｃ、１４ｄの縁端Ｂ−４に対する縁端距離はｂ４、貫通孔１４ｂ、１４ｃの縁端Ｂ−３に対する縁端距離はｂ３である。このため、スタッドボルト２４、２６に挿通させる貫通孔を変更することで、支持部材６０の端面６０Ｂとストッパ１４との間の遊間ｓ２を変更することができるようになっている。
【００３０】
ストッパ１２、１４と支持部材６０の端面６０Ａ、６０Ｂとの間に所定の遊間ｓ１、ｓ２が設けられているので、合成床版用鋼板パネル５０の鋼主桁６２上への架設後で床版コンクリート硬化前、合成床版用鋼板パネル５０に橋軸直角方向に予期せぬ水平力が作用しても、所定の大きさを上回れば（後述する固定具１６による固定力を上回れば）合成床版用鋼板パネル５０は橋軸直角方向に移動して、合成床版用鋼板パネル５０やハンチプレート５４に過大な内部応力が導入されてしまったり、変形したりしてしまうことが防止される。一方、合成床版用鋼板パネル５０は、遊間ｓ１、ｓ２を超えて移動することができないので、合成床版用鋼板パネル５０に橋軸直角方向に想定外の水平力が加わっても、合成床版用鋼板パネル５０の配置位置が適正な位置範囲から外れないようにすることができる。
【００３１】
支持部材６０の端面６０Ａ、６０Ｂとストッパ１２、１４との間の遊間ｓ１、ｓ２は、２〜８ｍｍとすることが好ましい。支持部材６０の端面６０Ａ、６０Ｂとストッパ１２、１４との間の遊間ｓ１、ｓ２が２ｍｍ未満の場合には、該遊間にゴミ等が入り込んでしまった場合に、支持部材６０の端面６０Ａ、６０Ｂとストッパ１２、１４との遊間ｓ１、ｓ２が不十分となり、合成床版用鋼板パネル５０に橋軸直角方向に予期せぬ水平力が作用した際、合成床版用鋼板パネル５０の橋軸直角方向への移動が阻害され、合成床版用鋼板パネル５０に大きな内部応力が導入されてしまったり、合成床版用鋼板パネル５０が変形したりしてしまうおそれがある。一方、支持部材６０の端面６０Ａ、６０Ｂとストッパ１２、１４との間の遊間ｓ１、ｓ２が８ｍｍを上回る場合には、合成床版用鋼板パネル５０に橋軸直角方向に予期せぬ水平力が作用した際の合成床版用鋼板パネル５０の橋軸直角方向への移動量が大きくなりすぎ、合成床版用鋼板パネル５０の配置位置が適正な位置範囲から外れてしまうおそれがあり、遊間ｓ２を極端に大きくした場合には、合成床版用鋼板パネル５０が鋼主桁６２上から落下してしまうおそれもある。
【００３２】
なお、支持部材６０の端面６０Ａ、６０Ｂとストッパ１２、１４との間の遊間ｓ１、ｓ２に、ゴム等の緩衝材を挿入しておくことも好ましい。ゴム等の緩衝材を挿入しておくことにより、合成床版用鋼板パネル５０に橋軸直角方向に予期せぬ水平力が作用して、合成床版用鋼板パネル５０が橋軸直角方向へ移動した際にも、支持部材６０の端面６０Ａ、６０Ｂとストッパ１２、１４との衝突による衝撃力が緩和され、不具合の発生が抑制される。また、遊間ｓ１、ｓ２にゴミ等が入り込むことを防止できる。
【００３３】
また、合成床版用鋼板パネル５０の鋼主桁６２上への架設時のずれに適切に対応することができるようにするため、ストッパ１２、１４は、大きさを変えたものをいくつか準備しておくのがよい。
【００３４】
また、本実施形態では、ストッパ１２、１４の形状は矩形としたが、ストッパ１２、１４の形状は矩形に限定されるわけではなく、多角形でもよい。ストッパ１２、１４の形状を例えば六角形とすれば、１枚のストッパで６通りの縁端距離を設定することができる。ただし、ストッパ１２、１４の形状が矩形であれば、４隅に設けられた貫通孔は、隣り合う２辺（２つの縁端）に対する縁端距離の設定に兼用することができ、貫通孔の数を矩形ではない多角形の場合よりも減らすことができる。このため、ストッパ１２、１４の形状が矩形であれば、矩形ではない多角形の場合よりもストッパ１２、１４の寸法を小さくしやすくなる。
【００３５】
次に、具体例を挙げて、鋼主桁６２上へ合成床版用鋼板パネル５０を架設する際に生じたずれへの対応について説明する。図７は、この具体例におけるストッパ１２、１４の配置状況を示す図である。
【００３６】
ストッパ１２が１４６ｍｍ×１４６ｍｍの板状体で縁端距離がａ１＝４８ｍｍ、ａ２＝４１ｍｍ、ａ３＝３５ｍｍ、ａ４＝２８ｍｍであり、ストッパ１４が１８６ｍｍ×１８６ｍｍの板状体で縁端距離がｂ１＝４８ｍｍ、ｂ２＝５５ｍｍ、ｂ３＝６１ｍｍ、ｂ４＝６８ｍｍであり、支持部材２６の長さＬ５が１６０ｍｍであり、スタッドボルト２０、２２の中心を結ぶ線分とスタッドボルト２４、２６の中心を結ぶ線分との間隔Ｌ６が２６０ｍｍで、鋼主桁６２上へ合成床版用鋼板パネル５０を架設する際に許容されるずれ量が２０ｍｍの場合、その２０ｍｍ以内のずれ量に応じて、遊間ｓ１、ｓ２を決定するストッパ１２、１４の縁端距離Ｌ３、Ｌ４を調整することで、表１に示すように、ストッパ１２、１４と支持部材２６との遊間が２〜８ｍｍの範囲に入るように調整することができる。
【００３７】
【表１】
0005413274.tif 000002
【００３８】
次に、ストッパ機構１０のハンチ押え金具（固定具）１６について説明する。
【００３９】
図８は、ストッパ機構１０を上方から見た平面図であり、図９は、図８のＩＸ−ＩＸ線断面図である。なお、図８では、図示の都合上、ナット１６Ｃ、２８は描いておらず、また隠れ線で描くべきストッパ１２、１４を実線で描いている。
【００４０】
ハンチ押え金具（固定具）１６は、押えプレート１６Ａと、スタッドボルト１６Ｂと、ナット１６Ｃと、フィラープレート１６Ｄとを有してなる。
【００４１】
スタッドボルト１６Ｂが挿通する押えプレート１６Ａの孔は長孔１６Ｅであり、押えプレート１６Ａの橋軸直角方向の位置を調整できるようになっている。
【００４２】
押えプレート１６Ａの一端部でハンチプレート５４の端部を上方から押え、押えプレート１６Ａの長孔１６Ｅを挿通したスタッドボルト１６Ｂをナット１６Ｃで締め付けて、合成床版用鋼板パネル５０（ハンチプレート５４）を押えプレート１６Ａを介して鋼主桁６２の上面に押し付け、取り付ける。ナット１６Ｃの締め付け具合で固定具１６の固定力（合成床版用鋼板パネル５０が橋軸直角方向に動き出す際の水平力）をある程度調整することができるが、フィラープレート１６Ｄは、押えプレート１６Ａの一端部で押えるハンチプレート５４の端部の厚さと同じあり、固定具１６の固定力は抑えられている。この固定力以下の水平力が合成床版用鋼板パネル５０に作用しても、合成床版用鋼板パネル５０は橋軸直角方向へ移動しないが、この固定力を超える水平力が合成床版用鋼板パネル５０に作用した場合には、合成床版用鋼板パネル５０は橋軸直角方向へ移動することとなる。
【００４３】
フィラープレート１６Ｄは、押えプレート１６Ａの一端部で押えるハンチプレート５４の端部の厚さと同じあり、押えプレート１６Ａを水平に保たせるとともに、スタッドボルト１６Ｂの溶植の際に生じた溶接ビードを避け、ハンチプレート５４を安定的に押えることができるようにする役割を有する。また、前述のように、固定具１６の固定力が大きくなりすぎないようにする役割も有する。
【００４４】
ハンチ押え金具（固定具）１６の固定力を適正に調整することで、合成床版用鋼板パネル５０に橋軸直角方向に過大な水平力が作用した場合には合成床版用鋼板パネル５０が橋軸直角方向へ移動することとなり、合成床版用鋼板パネル５０に予期せぬ過大な橋軸直角方向の水平力が作用しても、過大な内部応力が導入されてしまったり、変形したりしてしまうことを防止することができる。
【００４５】
以上説明したように、本実施形態に係るストッパ機構１０は、ストッパ１２、１４と、ハンチ押え金具（固定具）１６とを備え、ストッパ１２、１４は、支持部材６０の端面６０Ａ、６０Ｂとの間の遊間ｓ１、ｓ２を調整できるように構成され、ハンチ押え金具（固定具）１６は、固定力（合成床版用鋼板パネル５０が橋軸直角方向に動き出す際の水平力）を調整することができるように構成されているので、合成床版用鋼板パネルの鋼主桁上への架設後で床版コンクリート硬化前、橋軸直角方向の水平力が所定の値以上の場合には、該合成床版用鋼板パネルの橋軸直角方向の移動をある程度許容しつつ、橋軸直角方向の移動量を所定量以下に制限することができる。このため、合成床版用鋼板パネル５０に予期せぬ橋軸直角方向の水平力が作用しても、合成床版用鋼板パネル５０に過大な内部応力が導入されてしまったり、変形したりしてしまうことを防止しつつ、合成床版用鋼板パネル５０の配置位置が適正な位置範囲から外れないようにすることができる。
【符号の説明】
【００４６】
１０…ストッパ機構
１２、１４…ストッパ
１２ａ、１２ｂ、１２ｃ、１２ｄ、１４ａ、１４ｂ、１４ｃ、１４ｄ…貫通孔
１２Ｅ、１４Ｅ…フィラープレート
１６…ハンチ押え金具（固定具）
１６Ａ…押えプレート
１６Ｂ…スタッドボルト
１６Ｃ…ナット
１６Ｄ…フィラープレート
１６Ｅ…長孔
２０、２２、２４、２６…スタッドボルト
２８…ナット
５０…合成床版用鋼板パネル
５２…底鋼板
５４…ハンチプレート
５６…連結鋼板
５８…突起付きＴ形鋼
５８Ａ…フランジ
６０…支持部材
６０Ａ、６０Ｂ…端面
６２…鋼主桁
６２Ａ…上フランジ
ａ１、ａ２、ａ３、ａ４、ｂ１、ｂ２、ｂ３、ｂ４、Ｌ３、Ｌ４…縁端距離
【図１】
0005413274.tif 000003
【図２】
0005413274.tif 000004
【図３】
0005413274.tif 000005
【図４】
0005413274.tif 000006
【図５】
0005413274.tif 000007
【図６】
0005413274.tif 000008
【図７】
0005413274.tif 000009
【図８】
0005413274.tif 000010
【図９】
0005413274.tif 000011
【図１０】
0005413274.tif 000012
【図１１】
0005413274.tif 000013